(57)【要約】【課題】ドア開口部の開口寸法を十分に確保した状態で既設ドア枠の内側に新設ドア枠を取り付けることを可能とするドア枠改装構造及び該ドア枠改装構造を用いた改装ドアを提供する。【解決手段】ドア枠改装構造１０は、既設ドアを撤去して残存させた既設ドア枠１６の内側に新設ドア枠１８を取り付ける構造であって、新設ドア枠１８をその設置位置よりも室内側にある建物の躯体１４に対して連結する連結金具４４を備え、連結金具４４は、建物の躯体１４の開口部１４ａの見込み面に対してねじ止め固定される躯体固定部４４ｂと、新設ドア枠１８に対して躯体固定部４４ｂとは逆方向にねじ止め固定される枠固定部４４ａとを有する。【選択図】図４
2018131903.tif 000002
【特許請求の範囲】
【請求項１】
既設ドアを撤去して残存させた既設ドア枠の内側に新設ドア枠を取り付けるドア枠改装構造であって、
前記新設ドア枠と、該新設ドア枠よりも室内側にある建物躯体との間に介在する連結金具を備え、
前記連結金具は、前記建物躯体の開口部の見込み面と取り付けられる躯体固定部と、前記新設ドア枠と取り付けられる枠側固定部と、を有し、
前記連結金具は、前記躯体固定部が前記枠側固定部よりもドア開口部の内方にオフセットした位置に配置されることを特徴とするドア枠改装構造。
【請求項２】
請求項１記載のドア枠改装構造において、
前記既設ドア枠は、該既設ドア枠の見込み面から内方に突出した戸当たり部を有し、
前記新設ドア枠は、一部が前記戸当たり部の先端よりも前記既設ドア枠の見込み面側に寄った位置に配置され、
前記連結金具は、前記枠側固定部が前記戸当たり部の先端よりも前記既設ドア枠の見込み面側に寄った位置に配置され、前記躯体固定部が前記戸当たり部の先端よりも前記既設ドア枠の見込み面側とは反対側に寄った位置に配置されることを特徴とするドア枠改装構造。
【請求項３】
請求項１又は２記載のドア枠改装構造において、
前記連結金具は、前記新設ドア枠の見付け方向に沿って配置される見付け方向部位で前記躯体固定部と前記枠側固定部との間を繋いだクランク形状を有することを特徴とするドア枠改装構造。
【請求項４】
請求項１又は２記載のドア枠改装構造において、
前記新設ドア枠は、室外側に配置される室外側部位と室内側に配置される室内側部位との間を断熱材で連結した連結構造であり、
前記連結金具の枠側固定部は、少なくとも前記室内側部位と取り付けられることを特徴とするドア枠改装構造。
【請求項５】
請求項４記載のドア枠改装構造において、
前記新設ドア枠の室外側部位には、新設ドアを開閉可能に支持するヒンジが取り付けられ、
前記新設ドア枠は、前記室外側部位と前記室内側部位とが金属板によって互いに連結されることを特徴とするドア枠改装構造。
【請求項６】
請求項１〜５のいずれか１項に記載のドア枠改装構造において、
前記躯体固定部は、前記新設ドア枠の縦枠の見付け方向の幅寸法に対し、該幅寸法の中央よりも前記新設ドア枠の内方に寄った位置であって、且つ、前記新設ドア枠のドア開口部を臨む見込み面よりも前記新設ドア枠の外方に寄った位置に配置されることを特徴とするドア枠改装構造。
【請求項７】
請求項６記載のドア枠改装構造において、
前記新設ドア枠の室内側に配置され、前記連結金具の躯体固定部を覆う額縁部材を有し、
前記額縁部材は、一端が前記建物躯体に対して取り付けられ、他端が新設ドア枠の見付け面に当接することを特徴とするドア枠改装構造。
【請求項８】
請求項２記載のドア枠改装構造において、
前記既設ドア枠の見込み面における前記戸当たり部よりも室内側となる位置と、前記連結金具の躯体固定部との間に、スペーサを介在させたことを特徴とするドア枠改装構造。
【請求項９】
請求項８記載のドア枠改装構造において、
前記連結金具の躯体固定部は、ねじを用いて前記建物躯体とねじ止め固定され、
前記ねじは、前記スペーサ及び前記既設ドア枠を貫通して前記建物躯体に固定されることを特徴とするドア枠改装構造。
【請求項１０】
請求項１〜９のいずれか１項に記載のドア枠改装構造において、
前記新設ドア枠は、前記ドア開口部を臨む見込み面から前記ドア開口部の内方に突出した戸当たり部を有し、
前記連結金具の枠側固定部は、前記新設ドア枠の戸当たり部よりも室内側となる位置で、前記新設ドア枠と取り付けられることを特徴とするドア枠改装構造。
【請求項１１】
請求項１〜１０のいずれか１項に記載のドア枠改装構造で取り付けた前記新設ドア枠で新設ドアを開閉可能に支持したことを特徴とする改装ドア。
【発明の詳細な説明】
【技術分野】
【０００１】
本発明は、既設ドアを撤去して残存させた既設ドア枠の内側に新設ドア枠を取り付けるドア枠改装構造及び該ドア枠改装構造を用いた改装ドアに関する。
【背景技術】
【０００２】
従来、玄関ドアやその他室内外出入口のドアを低コストで改装するために、建物躯体に固定されている既設ドア枠を残存させた状態で既設ドアを撤去し、その内側に新設ドア枠及び新設ドアを取り付ける工法が行われている。
【０００３】
例えば特許文献１には、建物躯体の室外側に突出するように設けられた既設ドア枠の内側に新設ドア枠を取り付けるに際し、新設ドア枠を建物躯体に重なるドア開口部の室内側まで延出させ、その延出部分を建物躯体に対して固定するドア枠改装構造が開示されている。
【先行技術文献】
【特許文献】
【０００４】
【特許文献１】特許第４０９０４２５号公報
【発明の概要】
【発明が解決しようとする課題】
【０００５】
上記のように、特許文献１の構成では、建物躯体に固定するために新設ドア枠に室内側への延出部分を設けている。このため、ドア開口部の室内側をアルミニウム等の金属額縁や木製の木額縁等で覆って見栄えを向上させようとした場合、前記延出部分の内方に額縁が張り出すことになる。そうすると、ドア開口部の有効開口寸法を大きく確保することができなくなり、新設ドアの開口幅が制限される。
【０００６】
本発明は、上記従来技術の課題を考慮してなされたものであり、ドア開口部の開口寸法を十分に確保した状態で既設ドア枠の内側に新設ドア枠を取り付けることを可能とするドア枠改装構造及び該ドア枠改装構造を用いた改装ドアを提供することを目的とする。
【課題を解決するための手段】
【０００７】
本発明に係るドア枠改装構造は、既設ドアを撤去して残存させた既設ドア枠の内側に新設ドア枠を取り付けるドア枠改装構造であって、前記新設ドア枠をその設置位置よりも室内側にある建物躯体に対して連結する連結金具を備え、前記連結金具は、前記建物躯体の開口部の見込み面に対してねじ止め固定される躯体固定部と、前記新設ドア枠に対して前記躯体固定部とは逆方向にねじ止め固定される枠固定部とを有することを特徴とする。
【０００８】
また、本発明に係る改装ドアは、上記構成のドア枠改装構造で取り付けた前記新設ドア枠で新設ドアを開閉可能に支持したことを特徴とする。
【０００９】
このような構成によれば、連結金具の枠固定部の新設ドア枠への締結方向が躯体固定部の建物躯体への締結方向と逆方向に構成しているため、新設ドア枠をその設置位置よりも室内側にある建物躯体に対して連結する場合であっても新設ドア枠がドア開口部に突出することを抑制し、ドア開口部の有効開口寸法を十分に確保した状態で既設ドア枠の内側に新設ドア枠を取り付けることができる。なお、締結方向が逆方向であるとは、例えば躯体固定部の締結用の固定ねじと枠固定部の締結用の固定ねじの締結方向が１８０度反対方向を向いた状態以外にも、両固定ねじよる締結方向が１８０度反対方向から多少角度を持った状態を含んでもよい。
【００１０】
本発明に係るドア枠改装構造において、前記新設ドア枠の室内側に配置され、前記連結金具の躯体固定部を覆う額縁部材を設けた構成としてもよい。そうすると、連結金具の躯体固定部及びこれを躯体に固定する固定ねじを額縁部材で覆い隠すことができ、改装ドアのドア開口部の室内側の見栄えを高めることができる。
【００１１】
本発明に係るドア枠改装構造において、前記額縁部材の室内側見付け面に対してアングル金具を固定し、該アングル金具に対して化粧部材を固定することで、該化粧部材をドア開口部の室内側に設けた構成としてもよい。そうすると、例えば木製の額縁等の化粧部材をドア開口部の室内側に容易に配設することができる。また、アングル金具が額縁部材の室内側見付け面に固定されることで、アングル金具やこれに固定される化粧部材がドア開口部側に突出することを抑制し、ドア開口部の有効開口寸法を十分に確保することができる。
【００１２】
本発明に係るドア枠改装構造において、前記額縁部材の室内側端部に対して化粧部材を固定することで、該化粧部材をドア開口部の室内側に設けた構成としてもよい。この構成によっても、例えば木製の額縁等の化粧部材をドア開口部の室内側に容易に配設することができる。また、化粧部材が額縁部材の室内側端部に固定されることで、化粧部材がドア開口部側に突出することを抑制し、ドア開口部の有効開口寸法を十分に確保することができる。
【００１３】
本発明に係るドア枠改装構造において、前記連結金具は、前記躯体固定部が前記枠固定部よりもドア開口部の内方にオフセットして配置される断面クランク形状で構成されてもよい。そうすると、高い強度で新設ドア枠を躯体に連結することができ、また、枠固定部が躯体固定部よりもドア開口部の外方にオフセットして設けられることで、新設ドア枠を可能な限り外方に配置でき、ドア開口部の開口寸法を一層大きく確保することができる。
【００１４】
本発明に係るドア枠改装構造において、前記新設ドア枠は、室外側に配置される室外側部位と室内側に配置される室内側部位との間を樹脂材料で連結した連結構造であり、前記連結金具の枠固定部は、前記室外側部位及び前記室内側部位の両部位と固定される構成であってもよい。そうすると、断熱材等の樹脂材料を挟んだ連結構造の新設ドア枠を連結金具で確実に保持することができ、例えば新設ドアの荷重を受ける縦枠の室外側部位を強固に支持することができる。
【発明の効果】
【００１５】
本発明によれば、連結金具を用いることで新設ドア枠がドア開口部に突出することを抑制し、ドア開口部の有効開口寸法を十分に確保した状態で既設ドア枠の内側に新設ドア枠を取り付けることができる。
【図面の簡単な説明】
【００１６】
【図１】図１は、本発明の第１の実施形態に係るドア枠改装構造を適用した改装ドアの姿図であり、図１（Ａ）は、改装ドアを室外側から見た正面図であり、図１（Ｂ）は、改装ドアを室内側から見た背面図である。
【図２】図２は、図１に示す改装ドアの縦断面図である。
【図３】図３は、図１に示す改装ドアの横断面図である。
【図４】図４は、図３に示す改装ドアの一方の縦枠周辺を拡大した横断面図である。
【図５】図５は、本発明の第２の実施形態に係るドア枠改装構造を適用した改装ドアの上枠周辺を拡大した縦断面図である。
【図６】図６は、図５に示す改装ドアの一方の縦枠周辺を拡大した横断面図である。
【発明を実施するための形態】
【００１７】
以下、本発明に係るドア枠改装構造について、この構造を備えた改装ドアを例示して好適な実施の形態を挙げ、添付の図面を参照しながら詳細に説明する。
【００１８】
図１は、本発明の第１の実施形態に係るドア枠改装構造１０を適用した改装ドア１２の姿図であり、図１（Ａ）は、改装ドア１２を室外側から見た正面図であり、図１（Ｂ）は、改装ドア１２を室内側から見た背面図である。また、図２は、図１に示す改装ドア１２の縦断面図であり、図３は、図１に示す改装ドア１２の横断面図である。
【００１９】
図１〜図３に示すように、改装ドア１２は、建物の躯体１４の開口部１４ａに予め設置されていた既設ドアをドア枠（既設ドア枠１６）を残して撤去し、残存させた既設ドア枠１６の内側に新たなドア枠（新設ドア枠１８）を取り付けて新設ドア２０を開閉可能に支持した建具である。改装ドア１２は、例えば住宅の玄関ドアの改装工事で設置されるものであり、本実施形態では片開きドアを例示しているが、両開きドア等であってもよい。
【００２０】
既設ドア枠１６は、上枠１６ａと、下枠１６ｂと、左右の縦枠１６ｃ，１６ｄとを四周枠組みすることで矩形の開口部を形成したものである。上枠１６ａ、下枠１６ｂ及び縦枠１６ｃ，１６ｄは、例えばアルミニウム等の金属材料の押出形材である。これら上枠１６ａ、下枠１６ｂ及び縦枠１６ｃ，１６ｄは、新設ドア枠１８の取付前から躯体１４に固定されている。図１及び図２に示すように、下枠１６ｂの一部は、土間２２に埋設するように固定されている。
【００２１】
新設ドア枠１８は、上枠１８ａと、下枠１８ｂと、左右の縦枠１８ｃ，１８ｄとを四周枠組みすることで矩形の開口部（ドア開口部１９）を形成したものである。上枠１８ａ、下枠１８ｂ及び縦枠１８ｃ，１８ｄは、例えばアルミニウム等の金属材料の押出形材で構成されている。
【００２２】
図２に示すように、上枠１８ａは、室外側に配置される室外側部位２４ａと室内側に配置される室内側部位２４ｂとを一対設けられた樹脂材料の断熱材２６で連結し、断面略矩形状に形成した連結構造である。室内側部位２４ｂには、その見込み面から下方に突出した戸当たり部２８が設けられている。上枠１８ａは、室内側部位２４ｂがクランク状の連結金具３０を介して躯体１４に連結固定される。
【００２３】
上枠１８ａの室外側部位２４ａの室外側見付け面には、既設ドア枠１６の上枠１６ａを室外側から覆い隠す外額縁３２が固定される。外額縁３２は、アルミニウム等の金属材料の押出形材で形成された化粧部材であり、改装ドア１２の室外側の見栄えを高めるためのものである。外額縁３２の一端は躯体１４側に固定されるが、折り取り溝３２ａを介して施工現場で長さ調整可能とされている。
【００２４】
下枠１８ｂは、既設ドア枠１６の下枠１６ｂの上に重ねて配置され、取付ねじ３４によって下枠１６ｂと共に土間２２に連結固定される。下枠１８ｂは階段形状を有し、戸当たり部３５と、室内側端部に設けられた巾木部３６とを有する。巾木部３６は、その下方に連結された巾木部材３８と共に土間２２の室内外段差の立上り面を覆うものである。
【００２５】
図３に示すように、一方の縦枠１８ｃは、室外側に配置される室外側部位４０ａと室内側に配置される室内側部位４０ｂとを一対設けられた樹脂材料の断熱材２６で連結し、断面略矩形状に形成した連結構造である。室内側部位４０ｂには、その見込み面から内方に突出した戸当たり部４２が設けられている。縦枠１８ｃは、室外側部位４０ａ及び室内側部位４０ｂの室外側見込み面４０ｃがクランク状の連結金具４４を介して躯体１４に連結固定される。
【００２６】
縦枠１８ｃの室外側部位４０ａの室外側見付け面には、既設ドア枠１６の縦枠１６ｃを室外側から覆い隠す外額縁４６が固定される。外額縁４６は、アルミニウム等の金属材料の押出形材で形成された化粧部材であり、改装ドア１２の室外側の見栄えを高めるためのものである。外額縁４６の一端は躯体１４側に固定されるが、折り取り溝４６ａを介して施工現場で長さ調整可能とされている。
【００２７】
他方の縦枠１８ｄは、上記一方の縦枠１８ｃと略左右対称形状であって基本的な構造は同一である。すなわち、縦枠１８ｄは、断熱材２６で連結された室外側部位４０ａ及び室内側部位４０ｂを有し、室内側部位４０ｂの見込み面には戸当たり部４２が設けられている。また、縦枠１８ｄについても、室外側部位４０ａ及び室内側部位４０ｂの室外側見込み面４０ｃがクランク状の連結金具４４を介して躯体１４に連結固定される。さらに、縦枠１８ｃの室外側部位４０ａの室外側見付け面には、既設ドア枠１６の縦枠１６ｄを室外側から覆い隠す外額縁４６が固定される。
【００２８】
新設ドア２０は、本実施形態の場合片開きであり、新設ドア枠１８の縦枠１８ｃの室外側部位４０ａに取り付けられたヒンジ４８を介して新設ドア枠１８の内側で開閉可能に支持される。新設ドア２０は、新設ドア枠１８の各枠１８ａ〜１８ｄに設けられた戸当たり部２８、３５、４２の室外側で開閉するように設置される。
【００２９】
このような新設ドア２０を支持する新設ドア枠１８は、連結金具３０，４４を用いたドア枠改装構造１０を介して躯体１４に取り付けられる。
【００３０】
そこで、次に、本実施形態に係るドア枠改装構造１０の具体的な構成を説明する。
【００３１】
図２及び図３に示すように、本実施形態に係る改装ドア１２では、新設ドア枠１８の上枠１８ａ及び縦枠１８ｃ，１８ｄの取り付けにドア枠改装構造１０を用いているが、以下では図４に拡大図を示した縦枠１８ｃでのドア枠改装構造１０を代表的に説明し、上枠１８ａ及び縦枠１８ｄでのドア枠改装構造１０については縦枠１８ｃの場合と異なる構造についてのみ具体的に説明し、同様な構造についての詳細な説明は省略する。
【００３２】
図２及び図３に示すように、新設ドア枠１８は、建物の躯体１４の室外側に設置されていた既設ドア枠１６の内側に設置されるため、その設置位置よりも室内側にある躯体１４に対して上枠１８ａ及び縦枠１８ｃ，１８ｄが連結金具３０，４４を介して連結固定される。
【００３３】
図３及び図４に示すように、縦枠１８ｃに用いる連結金具４４は、既設ドア枠１６の戸当たり部１６ｅを避けるように屈曲した断面クランク形状に形成されている。連結金具４４は、ステンレスやスチール等の金属板を屈曲形成したものであり、縦枠１８ｃの長手方向寸法よりも短尺に形成され、例えば縦枠１８ｃの長手方向で複数箇所に取り付けされる。
【００３４】
連結金具４４は、クランク形状の一方の見込み方向部位であって新設ドア枠１８に固定される枠固定部４４ａと、他方の見込み方向部位であって躯体１４に固定される躯体固定部４４ｂとを有する。
【００３５】
枠固定部４４ａは、新設ドア枠１８の縦枠１８ｃの室外側見込み面４０ｃ（既設ドア枠１６側の見込み面）に対して既設ドア枠１６の縦枠１６ｃ側から固定ねじ５０を用いて固定される。具体的には、枠固定部４４ａは、縦枠１８ｃの室内側部位４０ｂの室外側見込み面４０ｃから断熱材２６を越えて室外側部位４０ａの室外側見込み面４０ｃまで延出しており、両部位４０ａ，４０ｂの室外側見込み面４０ｃがそれぞれ固定ねじ５０によって固定される。これにより断熱材２６を挟んだ連結構造の縦枠１８ｃを連結金具４４で確実に保持することができ、特にヒンジ４８によって新設ドア２０の荷重を受ける室外側部位４０ａを強固に支持することができる。この際、枠固定部４４ａと既設ドア枠１６の縦枠１６ｃとの間の隙間は、スペーサ５１及びシール材５２によって封止される。
【００３６】
躯体固定部４４ｂは、新設ドア枠１８の室外側外周部に設けられる枠固定部４４ａと異なり、新設ドア枠１８の室内側において枠固定部４４ａよりもドア開口部１９の内方にオフセットして配置される。躯体固定部４４ｂは、躯体１４の開口部１４ａの見込み面に対して枠固定部４４ａとは反対方向のドア開口部１９側からスペーサ５３を挟んで固定ねじ５４を用いて固定される。つまり、躯体固定部４４ｂの躯体１４に対する締結方向と枠固定部４４ａの縦枠１８ｃに対する締結方向とが互い違いとなる逆方向に設定されている。
【００３７】
このような連結金具４４は、枠固定部４４ａと躯体固定部４４ｂとの間の見付け方向部位が、既設ドア枠１６の戸当たり部１６ｅを避けるように縦枠１８ｃの室内側部位４０ｂの室内側見付け面に沿って配置される。この際、連結金具４４は、上記したクランク形状によって十分な強度を有すると共に、枠固定部４４ａ側が躯体固定部４４ｂよりもドア開口部１９の外方にオフセットして設けられているため、縦枠１８ｃを可能な限り外方に配置でき、ドア開口部１９の開口寸法を最大限に確保することができる。
【００３８】
さらに、ドア枠改装構造１０では、新設ドア枠１８の縦枠１８ｃの室内側に、連結金具４４の躯体固定部４４ｂをドア開口部１９側から覆う額縁部材５６を設けている。
【００３９】
額縁部材５６は、例えば断面略Ｌ字状に形成されたアルミニウム等の金属材料の押出形材であり、躯体１４に対してスペーサ５７を挟んで固定ねじ５８を用いて固定される。額縁部材５６は、連結金具４４の躯体固定部４４ｂと平行する面を持ち、この躯体固定部４４ｂ及び固定ねじ５４を覆うことで、改装ドア１２の室内側の見栄えを高めるためのものである。そこで、固定ねじ５８についても外観上目立つことのないよう、額縁部材５６の見込み面から一段ずらした取付部５６ａに対して設けられ、その開口がキャップ５６ｂで蓋される。額縁部材５６の各片には折り取り溝５６ｃが設けられており、施工現場で長さ調整可能とされている。
【００４０】
額縁部材５６の室内側見付け面５６ｄには、アングル金具５９が連結固定される。アングル金具５９は、例えば断面略Ｌ字状に形成されたアルミニウム等の金属材料の押出形材である。このアングル金具５９の裏面側（躯体１４側）の見込み面には、木額縁（化粧部材）６０が木ねじ６２を用いて連結固定される。木額縁６０は、木製の額縁部材であり、改装ドア１２の室内側の見栄えを高めるためのものである。
【００４１】
図４に示すように、額縁部材５６、アングル金具５９及び木額縁６０の見込み面は略面一に構成されており、ドア開口部１９の見栄えが確保されると共に、開口寸法が最大限に確保される。また、図２〜図４に示すように、これら額縁部材５６、アングル金具５９及び木額縁６０の見込み面の下部は巾木状のカバー部材６４によって一体的に覆われている。
【００４２】
なお、ドア枠改装構造１０は、他方の縦枠１８ｄの場合にも上記した縦枠１８ｃの場合と左右対称構造である以外は基本的に同一構造のため、同一又は同様の要素には同一の参照符号を付して詳細な説明を省略する。
【００４３】
また、ドア枠改装構造１０は、上枠１８ａの場合にも縦枠１８ｃの場合と略同様な構成であるため、同一又は同様の要素には同一の参照符号を付して詳細な説明を省略する。但し、上枠１８ａは新設ドア２０の荷重をほとんど受けないため、ドア枠改装構造１０を構成する連結金具３０は、その枠固定部４４ａが上枠１８ａの室内側部位２４ｂの室外側見込み面４０ｃに対してのみ固定ねじ５０で固定されている。勿論、室外側部位２４ａに対しても連結金具３０の枠固定部４４ａを延出させて固定してもよい。また、上枠１８ａに設けられる額縁部材５６、アングル金具５９及び木額縁６０の見込み面にはカバー部材６４を設けていない。
【００４４】
図５は、本発明の第２の実施形態に係るドア枠改装構造１０Ａを適用した改装ドア１２の上枠１８ａ周辺を拡大した縦断面図であり、図６は、図５に示す改装ドア１２の一方の縦枠１８ｃ周辺を拡大した横断面図である。本実施形態に係るドア枠改装構造１０Ａを適用した改装ドア１２においても下枠１８ｂ及びその周辺部の構造は、図２に示した構造と同一であるため、図５では上枠１８ａ及びその周辺部の構造のみを図示している。さらに、本実施形態の場合であっても一方の縦枠１８ｃ及びその周辺部の構造と、他方の縦枠１８ｄ及びその周辺部の構造とは左右対称構造である点やヒンジ４８の有無以外の基本的な構造は同一であるため、図６では一方の縦枠１８ｃ及びその周辺部の構造のみを図示している。
【００４５】
なお、図５及び図６に示す本実施形態に係るドア枠改装構造１０Ａにおいて、図１〜図４に示す第１の実施形態に係るドア枠改装構造１０と同一又は同様な機能及び効果を奏する要素には同一の参照符号を付し、詳細な説明を省略する。
【００４６】
図５及び図６に示すように、本実施形態に係るドア枠改装構造１０Ａは、連結金具３０，４４による上枠１８ａ及び縦枠１８ｃ，１８ｄの躯体１４への連結構造は、図１〜図４に示すドア枠改装構造１０の連結構造と同様であるが、額縁部材５６及びアングル金具５９に代えて額縁部材７０を備える点が相違している。
【００４７】
図５に示すように、ドア枠改装構造１０Ａは、上枠１８ａを躯体１４に対して固定する連結金具３０の躯体固定部４４ｂをドア開口部１９側から覆う額縁部材７０を備え、この額縁部材７０に木額縁６０が連結固定される。
【００４８】
額縁部材７０は、例えば断面略Ｌ字状に形成されたアルミニウム等の金属材料の押出形材であり、上枠１８ａの室内側部位２４ｂの室内側見付け面に対して固定ねじ７２を用いて固定される。額縁部材７０は、連結金具３０の躯体固定部４４ｂ及びその固定ねじ５４を覆うことで、改装ドア１２の室内側の見栄えを高めるためのものである。また、木額縁６０は、額縁部材７０の室内側端部の裏面側（躯体１４側）の見込み面に木ねじ６２を用いて連結固定される。
【００４９】
また、図６に示すように、ドア枠改装構造１０Ａは、縦枠１８ｃ（１８ｄ）を躯体１４に対して固定する連結金具４４の躯体固定部４４ｂをドア開口部１９側から覆う額縁部材７０を備え、この額縁部材７０に木額縁６０が連結固定される。この場合にも、木額縁６０は額縁部材７０の室内側端部の裏面側（躯体１４側）の見込み面に木ねじ６２を用いて連結固定される。
【００５０】
このようなドア枠改装構造１０Ａでは、ドア枠改装構造１０と比べてアングル金具５９が不要であることから部品点数を削減でき、コストを抑えることができる。
【００５１】
以上のように、本実施形態に係るドア枠改装構造１０，１０Ａは、既設ドアを撤去して残存させた既設ドア枠１６の内側に新設ドア枠１８を取り付ける構造であって、新設ドア枠１８をその設置位置よりも室内側にある建物の躯体１４に対して連結する連結金具３０，４４を備え、連結金具３０，４４は、躯体１４の開口部１４ａの見込み面に対してねじ止め固定される躯体固定部４４ｂと、新設ドア枠１８に対して躯体固定部４４ｂとは逆方向にねじ止め固定される枠固定部４４ａとを有する。より具体的には、躯体固定部４４ｂが躯体１４に対してドア開口部１９側からねじ止め固定され、枠固定部４４ａが新設ドア枠１８の室外側見込み面４０ｃに対して躯体固定部４４ｂとは逆方向の既設ドア枠１６側からねじ止め固定される。
【００５２】
このように、当該ドア枠改装構造１０，１０Ａでは、連結金具３０，４４の枠固定部４４ａの新設ドア枠１８への締結方向を躯体固定部４４ｂの躯体１４への締結方向と逆方向に構成しているため、新設ドア枠１８をその設置位置よりも室内側にある建物の躯体１４に対して連結する場合であっても新設ドア枠１８が改装ドア１２のドア開口部１９に突出することを抑制し、ドア開口部１９の有効開口寸法を十分に確保した状態で既設ドア枠１６の内側に新設ドア枠１８を取り付けることができる。なお、締結方向が逆方向であるとは、躯体固定部４４ｂの締結用の固定ねじ５４と枠固定部４４ａの締結用の固定ねじ５０の締結方向が１８０度反対方向を向いた状態以外にも、両固定ねじ５０，５４による締結方向が１８０度反対方向から多少角度を持った状態も含むものであり、要は両固定ねじ５０，５４による固定強度を十分に確保できるものであればよい。
【００５３】
この際、連結金具３０，４４は、躯体固定部４４ｂが枠固定部４４ａよりもドア開口部１９の内方にオフセットして配置される断面クランク形状とされている。すなわち、連結金具３０，４４の枠固定部４４ａがドア開口部１９側から外方に後退した位置で新設ドア枠１８を支持するため、新設ドア枠１８がドア開口部１９に突出することを一層抑制でき、ドア開口部１９の有効開口寸法を一層大きく確保することができる。
【００５４】
なお、本発明は、上記した実施形態に限定されるものではなく、本発明の主旨を逸脱しない範囲で自由に変更できることは勿論である。
【００５５】
上記実施形態では、ドア枠改装構造１０，１０Ａを上枠１８ａ及び縦枠１８ｃ，１８ｄに用いた構成を例示したが、ドア枠改装構造１０，１０Ａは下枠１８ｂに用いてもよい。
【符号の説明】
【００５６】
１０，１０Ａ  ドア枠改装構造、１２  改装ドア、１４  躯体、１４ａ  開口部、１６  既設ドア枠、１６ａ，１８ａ  上枠、１６ｂ，１８ｂ  下枠、１６ｃ，１６ｄ，１８ｃ，１８ｄ  縦枠、１８  新設ドア枠、１９  ドア開口部、２０  新設ドア、２４ａ，４０ａ  室外側部位、２４ｂ，４０ｂ  室内側部位、２６  断熱材、３０，４４  連結金具、３２，４６  外額縁、３８  巾木部材、４０ｃ  室外側見込み面、４４ａ  枠固定部、４４ｂ  躯体固定部、５０，５４，５８，７２  固定ねじ、５６，７０  額縁部材、５６ｄ  室内側見付け面、５９  アングル金具、６０  木額縁
【図１】
2018131903.tif 000003
【図２】
2018131903.tif 000004
【図３】
2018131903.tif 000005
【図４】
2018131903.tif 000006
【図５】
2018131903.tif 000007
【図６】
2018131903.tif 000008